(57)【要約】【課題】ローラー塗装具でローラー３にフード６を周設した場合、フード６がローラー３に追随して自動回転し、ローラー３を塗料溶液に浸漬する際には、フード６に塗料が付着しない可動式であり、作業性も良好な塗装具を提供することが課題である。【解決手段】フード６の両端に回転軸７ａ、７ｂを突設し、フード支持フレーム５の端部に軸支して、前記フードの両サイドの軸心のフック７ｃ又は７ｄに錘を取付け、重力で自動回転することにより、前者は壁面塗装、後者は天井面の塗装に対応可能で、ローラーを塗料液に浸漬する際には、フード操作レバー１１ａを引くことにより、フード６がローラー３の上部に回転後、ばね１０の弾性力でフード５の引上げが可能であり、同操作レバーを戻した場合はばね９で押圧・付勢され元に帰着する。【選択図】図１
2020058996.tif 000002
【特許請求の範囲】
【請求項１】
本発明に係る自動回転式フードを有するローラー塗装具は、グリップ１とアーム２とローラー３を有し、当該ローラー３に周設したフード６の両端に回転軸７ａ、７ｂを突設して、フード支持フレーム５の端部に軸支し、同回転軸７ａがアーム２のローラー回転軸部２ａと隣接した状態で、回転可能になるようフード骨子６ｂがアーム２ａを迂回・湾曲した構造を有し、前記フードの回転軸７ａ、７ｂにフック７ｃ、７ｄを付設し，フック７ｃはフードの開口面と平行方向に垂設し、フック７ｄは前記フードの開口面とは直角にフード中央部側に屈曲して、同部に錘を取設することで重力によりフード６の自動回転が可能であり、錘を７ｃに付設した場合は壁面塗装に、錘を７ｄに付設した場合は天井面の塗装に対応し、床面の塗装時にはフード支持フレームストッパー１４でフード６と塗装面との間隔調整が可能であり、フード開口部６ｃ、６ｄにはフードツバを、６ｅには錘バーを付設したことを特徴とする自動回転式フードを有するローラー塗装具。
【請求項２】
請求項１に記載のフード支持フレーム５とばね９、フード引上げ用ばね１０、及びフード支持軸４の軸受４ａ、４ｂを軸８で軸支し、当該ばね１０にフック１０ａを立設し、同部１０ａとフード回転用フック７ｅ、及びフード操作レバー１１ａをワイヤー１６で連結し、フード操作レバー１１ａを引くことにより、ばね１０の初張力が生じていない遊び部分でフード６がローラー３の上部に回転し、その後、当該ばね１０の弾性力でフード６の引上げが可能であり、同状態を保持する場合はレバー保持ボルト１３で支承し、当該フード操作レバー１１ａを戻した場合は、フード支持フレーム５がばね９で押圧・付勢されフード支持フレームストッパー１４の位置に帰着することを特徴とする自動回転式フードを有するローラー塗装具。
【発明の詳細な説明】
【技術分野】
【０００１】
本発明は，ローラーで塗装する際に,塗料の飛散防止を図るための自動回転式フードを有するローラー塗装具に関するものである。
【背景技術】
【０００２】
ローラーで塗装する際は、塗料を含浸させたローラーを塗装面に押圧・回転させ塗布するため、遠心力で塗料がミスト状になり飛散し、塗装者の衣服、身体、顔面への付着等により、衛生・健康面で劣悪な環境にあった。
また、塗料ミストの飛散防止のため、塗装面の周辺をシート、ネット等で養生する必要があり、これらの養生をするためには、足場を構設しネットを張設する等の大掛かりな対策が不可欠であり、多大な費用を余儀なくされていた。
【０００３】
特許文献1は、本願出願人による可動式フードを有するローラー塗装具であるが、ミストの捕集効率は良好で、ローラーに塗料を含浸する際にはフードに塗料が付着しない可動式であり、フードの端面の角度が塗装面に対し任意に設定可能であるが、自動回転式ではない。
特許文献２は、ローラーの周辺にプレートを２枚設置しているが、プレートの長さが短小であり、また、文献６は傘状のカバーを装着しているが、ローラーとの間隔が広く塗料ミストの飛散防止の効果が低い。
特許文献３は、２個のローラーを台形状のカバーで覆蓋した方式であるが、カバーが固定式であり、ローラーを塗料溶液に浸漬する際にはカバーにも塗料が付着する。
【０００４】
特許文献４、及び特許文献５は、フードが可動式であるが自動回転式ではなく、同フードの引上げ部の構造・機能が本出願とは異なり、特に文献４は指で直接操作片を押圧するが、大きな押力を要し、取付け腕も１条で安定性・操作性に劣る。
特許文献７はフードがアームと一体で移動するが、ローラーを塗料溶液に浸漬する際にもローラーと一体であるため、フード面積が小さく、構造・機能が本出願とは異なる。
【先行技術文献】
【特許文献】
【０００５】
【特許文献１】特許第６３７５５８２号公報
【特許文献２】特開２００９−６３０９号公報
【特許文献３】特開２００６−１５３１８公報
【特許文献４】実開昭６２−１１８５７２公報
【特許文献５】実開昭５５−０７３２６９公報
【特許文献６】実開平０１−１３９８８０公報
【特許文献７】米国特許第４０１１６２２公報
【発明の概要】
【発明が解決しようとする課題】
【０００６】
本発明の課題は、ローラー塗装具にフードを設けた場合、当該フードによる塗料ミストの捕捉効果が良好で、ローラーを塗料溶液に浸漬し塗料を含浸する際は、フードに塗料が付着しない可動式であり、ローラーの移動に追随してフードが自動回転し、軽量で作業性も良好な塗装具を提供することである。
【課題を解決するための手段】
【０００７】
本発明に係る自動回転式フードを有するローラー塗装具はグリップ１とアーム２とローラー３を有し、当該ローラー３に周設したフード６の両端に回転軸７ａ、７ｂを突設し、フード支持フレーム５の端部に軸支して、同回転軸７ａがアーム２のローラー回転軸部２ａと隣接した状態で、回転可能になるようフード骨子６ｂがアーム２ａを迂回・湾曲した構造を有し、前記フードの回転軸７ａ、７ｂにフック７ｃ、７ｄを付設し，フック７ｃはフードの開口面と平行方向に垂設し、フック７ｄは前記フードの開口面とは直角にフード中央部側に屈曲して、同部に錘を取設することで重力によりフード６の自動回転が可能であり、錘を７ｃに付設した場合は壁面塗装に、錘を７ｄに付設した場合は天井面の塗装に対応し、床面の塗装時にはフード支持フレームストッパー１４でフード６と塗装面との間隔調整が可能であり、フード開口部６ｃ、６ｄにはフードツバを、６ｅには錘バーを付設したことを特徴とする。
【０００８】
前記フード支持フレーム５とばね９、フード引上げ用ばね１０、及びフード支持軸４の軸受４ａ、４ｂを軸８で軸支し、当該ばね１０にフック１０ａを立設し、同部１０ａとフード回転用フック７ｅ、及びフード操作レバー１１ａをワイヤー１６で連結し、フード操作レバー１１ａを引くことにより、ばね１０の初張力が生じていない遊び部分でフード６がローラー３の上部に回転し、その後、当該ばね１０の弾性力でフード６の引上げが可能であり、同状態を保持する場合はレバー保持ボルト１３で支承し、当該フード操作レバー１１ａを戻した場合は、フード支持フレーム５がばね９で押圧・付勢されフード支持フレームストッパー１４の位置に帰着することを特徴とする。
【発明の効果】
【０００９】
従来のローラー塗装具は、塗料ミストが飛散し、塗装者の衣服・身体への付着、健康面への悪影響等、劣悪な環境であったが、本発明の自動回転式フードを有するローラー塗装具は、当該フードで塗料ミストを効率的に捕捉するため飛散防止効果が大きく、作業環境を大幅に改善することが可能である。
【００１０】
従来のローラー塗装の際には、塗料の飛散を防止するため、足場の構設、ネットの張設等の養生対策が不可欠で多大な費用を余儀なくされていたが、本発明の自動回転式フードを有するローラー塗装具は、小規模の塗装工事等の場合は床面のみの養生で脚立・梯子等での塗装が可能であり、足場、ネット等の構設が不要となることから、養生・対策費の大幅な節減が可能で省力化・省資源化の観点からも大きな効果がある。
【００１１】
本発明の自動回転式フードを有するローラー塗装具はフードサイドの錘の重力により、ローラー３にフード６が自動的に追随するため、壁面塗装のケースでは、上部から下部まで連続塗装が可能であり、効率的で美観的にも良好である。
また、操作レバー１１をグリップ１に近接したアーム２に取設しており、ローラー３を塗料液に浸漬する際には、前記フード６の引上げ等は片手で操作が可能で機能的であり、操作性・作業効率も良好である。
【図面の簡単な説明】
【００１２】
【図１】図１は本発明に係る自動回転式フードを有するローラー塗装具の斜視図である。
【図２】図２は本発明に係る自動回転式フードを有するローラー塗装具の正面図である。
【図３】図３は本発明に係る自動回転式フードを有するローラー塗装具の操作レバー部の説明図である。
【発明を実施するための形態】
【００１３】
塗装用ローラーの周りに自動回転式フードを設け、前記ローラーを塗料液に浸漬する際には、当該フードに塗料の付着を防止するためフードを可動式とし、軽量で作業性・効率等が良好な塗装具を実現した。
【実施例１】
【００１４】
本発明に係る自動回転式フードを有するローラー塗装具について、図面に基づき詳述する。図１、図２は自動回転式フードを有するローラー塗装具の斜視図、及び正面図、図３は図１の同操作レバー部の説明図である。
本自動回転式フードを有するローラー塗装具は、グリップ１とアーム２とローラー３とを有し、ローラー周りには、ローラー塗装時に非塗装空間を覆うフード６を取設し、当該フードの両サイドに回転軸７ａ、及び７ｂを突設して、フード支持フレーム５の端部に軸支し回転自在とする。
前記フード６を支承するフード支持軸４を前記アーム２に横接するが、これはアーム製作時に溶着するか、又は市販の塗装具にボルト等で締着することも可能である。
前記フード支持軸４の両端の軸受４ａ、４ｂにフード支持フレーム５及びばね９、１０を軸８で傾動自在に軸支する。ばね９はフード支持フレーム５をアーム２への押圧用であるが、ばね１０は逆にフード支持フレーム５をアーム２からの乖離用で、弾性力がばね９より強力である。
フード支持フレーム５の材質はアルミ材、合成樹脂、鋼材、ステンレス鋼線、ピアノ線等がある。
前記回転軸７ａ、７ｂにはフック７ｃ、７ｄを付設し、フック７ｃはフード開口面と平行方向に垂設し、フック７ｄはフード開口面と直角にフード中央部方向に屈曲し、錘取り付け端部とし、フック７ｃは壁面塗装用、フック７ｄは天井塗装用であり、錘は容易に付替えが可能である。
フードの操作レバー１１をグリップ１に近接したアーム２に取設し、当該操作レバー１１ａ、ばね１０のフック１０ａ、及びフード回転用フック７ｅをワイヤー１６で連結して、当該操作レバー１１を指で引くことにより、ばね１０の初張力が生じていない遊び部分でフード６がローラー３の上部に回転し、その後、当該ばね１０の弾性力により支持フレーム５の引上げが可能となる。これは、前記フードがローラーの下部に位置した場合は、ローラーが支障となり、引上げが不可となるためである。
操作レバー１１を戻した場合は、フード支持フレーム５及びフード６がばね９で押圧・付勢されフード支持フレームストパー１４の位置に帰着する。
【００１５】
塗装時における塗装面とフードの端面との離れについては、フード支持フレームストパー１４がアーム２に軸支しており、当該ストッパー１４を回転してフード支持フレーム５との位置調整を行いネジで締着する。
ローラーを塗料容器内の塗料に浸漬する際には、当該操作レバー１１を指で引き、フード６を引上げることによりフードへの塗料の付着防止が可能であり、同状態を保持する場合は、レバー保持ボルト１３を回転させ操作レバー１１ｂと掛着する。当該レバー保持ボルト１３は、アーム２に軸支しており、ネジ操作で自在に係着・固定が可能である。
フードの材質については、軽量な合成樹脂製であり、耐薬品性、機械的強度に優れるポリエチレンテレフタレート（ＰＥＴ）、ポリプロピレン（ＰＰ）等が適している。
図２のフード６の断面形状については、端部が半円形より外側に開いた形状の方が塗料ミストの捕集効率が高く、このためフード端部にツバ６ｃ、６ｄを付設している。
フードの錘棒６ｅは錘１６の自動回転用の補助用である。
【実施例２】
【００１６】
上記自動回転式フードを有するローラー塗装具について、天井塗装を行う際は、フック７ｄに錘１５を７ｃから置換することにより、フード開口部が常時上方向を向き、天井塗装が可能である。
床面塗装を行う際は、操作レバー１１ｂをストッパー１２で保持しフードの回転を係止して、フード支持フレームストッパー１４でアーム２とフード支持フレーム５の間隔調整を行う。床面塗装の場合は壁・天井の塗装とは異なり、フードがローラー上部から覆蓋していることでミストの人体への飛散防止が可能であり、自動回転の必要性は低い。
高所及び床塗装の際に継ぎ柄等を使用する際には、フード操作レバーを手元に増設し、ワイヤーで操作レバー１１ａと連結することにより、同様に塗装が可能である。
ばね９の押圧力を高めるため、ばね１０側に増設することも可能である。
【産業上の利用可能性】
【００１７】
本発明の自動回転式フードを有するローラー塗装具は、当該フードにより塗料ミストの飛散を効率的に捕捉し、フードの操作も片手で操作可能で機能的であり作業性も良好である。従来のフードがない場合には、塗装者の衣服、人体へのミストの飛散等による劣悪な環境であったが、前記塗装具を用いた場合は衛生的・健康的な環境へと大きな改善が図られ、また、飛散防止のための養生等においても、小規模塗装工事等の場合は床面の養生のみで、足場、養生ネットの構設が不要で養生費等の大幅な削減が可能であり、利用可能性は高いと思料される。
【符号の説明】
【００１８】
１    グリップ
２    アーム
３    ローラー
４    フード支持軸
４ａ、４ｂ  軸受
５    フード支持フレーム
６    フード
６ａ、６ｂ  フード骨子
６ｃ、６ｄ  フードツバ
６ｅ  錘バー
７ａ、７ｂ  フード回転軸
７ｃ、７ｄ  フード回転軸のフック（錘取付け用）
７ｅ  フード回転用フック
８    軸
９    ばね（フードをアーム側への押圧用）
１０  ばね（フード引上げ用）
１０ａ  フード引上げ用フック
１１ａ  操作レバー（ワイヤー側）
１１ｂ  操作レバー（反ワイヤー側）
１２    ストッパー
１３    レバー保持ボルト
１４    フード支持フレームストッパー（フード位置調節用）
１５ａ  錘（壁塗装用）
１５ｂ  錘（天井塗装用）
１６    ワイヤー
【図１】
2020058996.tif 000003
【図２】
2020058996.tif 000004
【図３】
2020058996.tif 000005